(57)【要約】【課題】火災代表の移報出力等を火災発報ごと受信する。【解決手段】複数の火災受信機が接続され、１台をメインパネルとしてその他をサブパネルとして利用する火災報知システムに用いられるメイン受信機において、サブ受信機から代表移報出力を受信する移報受信部と、該移報受信部へのワンショット入力の個々を個別に代表移報出力の受信とする制御部と、を備えるものであって、代表移報出力の発生毎に火災発報を正確に捉えることができる。【選択図】　図２
2004145464.tif 000002
【特許請求の範囲】
【請求項１】
複数の火災受信機が接続され、１台をメインパネルとしてその他をサブパネルとして利用する火災報知システムに用いられるメインパネルとなる火災受信機において、
サブパネルとなる火災受信機から代表移報出力を受信する移報受信部と、
該移報受信部へのワンショット入力の個々を個別に代表移報出力の受信とする制御部と、
を備えることを特徴とする火災受信機。
【請求項２】
制御部は、個々の代表移報出力の受信に基づき音響鳴動を行うものである請求項１の火災受信機。
【請求項３】
制御部は、代表移報出力の受信毎に、火災発報として表示するものである請求項１または２の火災受信機。
【請求項４】
制御部は、移報受信部へのワンショット入力が複数あるときに、各ワンショット入力間が所定の時間間隔以下のときに双方を一つの代表移報出力の受信と判断するものである請求項１乃至３いずれかの火災受信機。
【請求項５】
火災信号を受信する火災受信機において、
火災信号を受信する受信部と、
該受信部へのワンショット入力の個々を個別に火災信号の受信とする制御部と、
を備えることを特徴とする火災受信機。
【請求項６】
制御部は、個々の火災信号に基づき音響鳴動を行うものである請求項５の火災受信機。
【請求項７】
制御部は、火災信号毎に、火災発報として表示するものである請求項５または６の火災受信機。
【請求項８】
制御部は、受信部へのワンショット入力が複数あるときに、各ワンショット入力間が所定の時間間隔以下のときに双方を一つの火災信号の受信と判断するものである請求項５乃至７いずれかの火災受信機。
【請求項９】
複数の火災受信機が接続され、１台をメインパネルとしてその他をサブパネルとして利用する火災報知システムに用いられる火災受信機において、
複数の火災感知器からの火災信号、あるいは、サブパネルとしての火災受信機からの代表移報出力、いずれかを受信する火災受信部と、
該火災受信部へサブパネルとして前記火災信号を受信した際に、代表移報出力をワンショットで行う移報出力部と、
該火災受信部へのワンショット入力の個々を個別に代表移報出力の受信とする制御部と、
を備えることを特徴とする火災受信機。
【請求項１０】
制御部は、個々の火災信号あるいは代表移報出力の受信に基づき音響鳴動を行うものである請求項９の火災受信機。
【請求項１１】
制御部は、火災信号あるは代表移報出力の受信毎に、火災発報として表示するものである請求項９または１０の火災受信機。
【請求項１２】
制御部は、火災受信部へのワンショット入力が複数あるときに、各ワンショット入力間が所定の時間間隔以下のときに双方を一つの火災信号あるは代表移報出力の受信と判断するものである請求項９乃至１１いずれかの火災受信機。
【発明の詳細な説明】
【０００１】
【産業上の利用分野】
本発明は、火災受信機に関するものであり、さらに、複数の火災受信機が接続され、１台をメインパネルとしてその他をサブパネルとして利用する火災報知システムに用いられる火災受信機に関するものである。
【０００２】
【従来の技術】
従来、火災報知設備として、各フロア毎にサブパネルとしてのＰ型受信機（以下、サブ受信機という）を配置して、これらのサブパネルから移報出力を受けるメインパネルとしてのＰ型受信機（以下、メイン受信機という）を設置して建物全体を監視するシステムが利用されている。サブ受信機は、火災地区毎に複数設けられる感知器回線を介して、いずれかの火災感知器から火災信号を受信するときに、その火災信号受信を移報出力するいわゆる代表移報として出力が行われ、そして、この代表移報を受信したメイン受信機は、その代表移報を受信して必要な表示および警報を行い、建物全体に関する火災監視を行っている。
【０００３】
このようなシステムを構成するに当たり、一般的な火災受信機の移報出力機能を利用し（例えば、特許文献１を参照）、監視できる回線数が少なく小規模な建物を対象とする火災受信機であっても、複数の火災受信機からの移報出力を集約することによって大規模な建物にも応用できることとなる。
【０００４】
【特許文献１】
特開平８−１８０２７０号公報
【０００５】
【発明が解決しようとする課題】
上記のような火災受信機の移報出力機能を用いる場合、一度上がった火災信号を消去するには現場確認を行ってからという、火災報知設備の原則に従って、移報出力が一旦出力されるとその出力は維持され、火災が解消されて復旧の操作入力が行われるまで出力を保持することとなる。
【０００６】
同様に、移報出力を受信するメイン受信機は、サブ受信機から一旦受信するとその後その火災情報は保持され、その後実際の受信有無に係わらず復旧の操作入力があるまで保持される。このようなシステム構成であるため、火災発報が複数発生する場合として、あるサブ受信機から火災代表の移報出力があってメイン受信機がその移報出力を受信して火災警報の音響鳴動を行って、メイン受信機に音響停止入力がなされると、その後に火災代表の移報出力を行ったサブ受信機に第２報の火災信号があるときに、メイン受信機に対する再度の火災代表の移報出力は行えず、メイン受信機から上記第２報の火災信号に基づく音響鳴動は行えない。
【０００７】
すなわち、サブ受信機においては、第１報の火災信号受信による音響鳴動があって、その音響停止後に、異なる回線からの第２報の火災信号受信による音響鳴動、いわゆる後続再鳴動は可能であるが、メイン受信機においては、第１報と同じサブ受信機からの後続は受信できずに、後続再鳴動は行えないこととなる。
【０００８】
したがって、本発明は、火災代表の移報出力等を火災発報ごと受信することを目的とする。
【０００９】
【課題を解決するための手段】
本発明は、複数の火災受信機が接続され、１台をメインパネルとしてその他をサブパネルとして利用する火災報知システムに用いられるメインパネルとなる火災受信機において、サブパネルとなる火災受信機から代表移報出力を受信する移報受信部と、該移報受信部へのワンショット入力の個々を個別に代表移報出力の受信とする制御部と、を備えることを特徴とするものである。
【００１０】
そして、制御部は、個々の代表移報出力の受信に基づき音響鳴動を行うものであり、また、制御部は、代表移報出力の受信毎に、火災発報として表示するものである。
【００１１】
さらに、制御部は、移報受信部へのワンショット入力が複数あるときに、各ワンショット入力間が所定の時間間隔以下のときに双方を一つの代表移報出力の受信と判断するものである。
【００１２】
また本発明は、火災信号を受信する火災受信機において、火災信号を受信する受信部と、該受信部へのワンショット入力の個々を個別に火災信号の受信とする制御部と、を備えることを特徴とするものである。
【００１３】
そして、制御部は、個々の火災信号に基づき音響鳴動を行うものであり、また、制御部は、火災信号毎に、火災発報として表示するものである。
【００１４】
さらに、制御部は、受信部へのワンショット入力が複数あるときに、各ワンショット入力間が所定の時間間隔以下のときに双方を一つの火災信号の受信と判断するものである。
【００１５】
またさらに本発明は、複数の火災受信機が接続され、１台をメインパネルとしてその他をサブパネルとして利用する火災報知システムに用いられる火災受信機において、複数の火災感知器からの火災信号、あるいは、サブパネルとしての火災受信機からの代表移報出力、いずれかを受信する火災受信部と、該火災受信部へサブパネルとして前記火災信号を受信した際に、代表移報出力をワンショットで行う移報出力部と、該火災受信部へのワンショット入力の個々を個別に代表移報出力の受信とする制御部と、を備えることを特徴とするものである。
【００１６】
そして、制御部は、個々の火災信号あるいは代表移報出力の受信に基づき音響鳴動を行うものであり、また、制御部は、火災信号あるは代表移報出力の受信毎に、火災発報として表示するものである。
【００１７】
さらに、制御部は、火災受信部へのワンショット入力が複数あるときに、各ワンショット入力間が所定の時間間隔以下のときに双方を一つの火災信号あるは代表移報出力の受信と判断するものである。
【００１８】
【発明の実施の形態】
以下、本発明を利用する実施の形態について図面を用いて説明する。図１は本発明を利用した火災報知システム全体のシステム構成図、図２は図１に用いられている火災受信機の概略的なブロック構成図、図３は図２の火災受信機の表示部を示す外観図、図４は図２の火災受信機の動作を示すフロー図、図５は代表移報および音響鳴動のタイミングを示す説明図である。
【００１９】
ＲｍはメインパネルとしてのＰ型火災受信機（以下、メイン受信機という）、Ｒ１〜ＲｎはサブパネルとしてのＰ型火災受信機（以下、サブ受信機という）、１１は火災感知器、１２は火災発信機、１３は地区音響装置、２１〜２ｎは火災代表の出力線、３１〜３ｎは音響停止線、４１〜４ｎおよび４ｍは感知器回線、５１〜５ｎおよび５ｍは地区音響の制御線である。
【００２０】
各サブ受信機Ｒ１〜Ｒｎは、建物に対して一例として各フロア毎に配置され、それぞれ火災代表を移報出力する出力線２１〜２ｎが引出され、メイン受信機Ｒｍに入力されるとともに、音響停止線３１〜３ｎがメイン受信機Ｒｍとの間に配設されている。
【００２１】
各サブ受信機Ｒ１〜Ｒｎは、それぞれ感知器回線４１〜４ｎを複数備えており、フロアの部屋割り等に応じた必要な個数の火災感知器１１および火災発信機１２が設けられている。そして、各感知器回線４１〜４ｎも火災監視のために設定された地区割に対応して必要な回線数が配設される。
【００２２】
同様に、各サブ受信機Ｒ１〜Ｒｎは、それぞれ地区音響の制御線５１〜５ｎを複数備えており、フロア内に必要な地区音響装置１３が設けられている。そして、フロア全体に警報を鳴動できるようにされている。なお、フロア内を火災監視同様に地区割して個別に音響制御することも可能である。
【００２３】
また、メイン受信機Ｒｍは上記の如きサブ受信機Ｒ１〜Ｒｎと同様のＰ型火災受信機であるので、同様に、必要な感知器回線４ｍを配設して火災感知器１１や火災発信機１２を接続することが可能であり、制御線５ｍを配設して地区音響装置１３を接続することが可能である。
【００２４】
つぎに、メイン受信機Ｒｍおよびサブ受信機Ｒ１〜Ｒｎの構成について説明するが、この実施の形態では、メイン受信機Ｒｍおよびサブ受信機Ｒ１〜Ｒｎに一つのＰ型火災受信機の筐体を共用している。このため、メイン受信機Ｒｍにおいてのみ使う部位やサブ受信機Ｒ１〜Ｒｎにおいてのみ使う部位があるが、区別して用意する必要がなく製造する製品としては一つとなる。なお、図２においては、サブ受信機として使用する場合の配線および周辺機器を示している。
【００２５】
図２において、６１は制御部、６２は火災受信回路、６３は操作部、６４は表示部、６５は音響部、６６は制御出力部、６７は移報出力回路、６８はリセット出力回路、６９はリセット受信回路である。
【００２６】
制御部６１は、図示しないマイコンやメモリ等によって構成されて火災受信機Ｒ１〜Ｒｎ、Ｒｍ全体の動作を制御するもので、火災受信回路６２等への入力を検出し、制御出力部６６等へ制御出力を行い、必要な監視、制御動作を行う。
【００２７】
火災受信回路６２は、感知器回線４１〜４ｎ等が接続される端子間の状態によって火災信号の受信を検出する回路であって、火災感知器１１が火災検出時にＰ型の火災信号送出動作である、いわゆるスイッチング動作による略短絡の低インピーダンス状態になることを検出し、複数設けられる回線毎に火災信号を検出可能とされている。また、詳細に説明しないが、各感知器回線４１〜４ｎの断線の発生を検出するための断線検出回路が火災受信回路６２内に設けられている。
【００２８】
また、火災受信回路６２は、メイン受信機Ｒｍとして用いられる場合には、感知器回線４ｍ以外に、火災代表の出力線２１〜２ｎが接続され、火災感知器１１からの火災信号と同様に火災代表移報についても受信される。
【００２９】
操作部６３は、図３に示すような盤面に設けられる各種スイッチによって火災受信機Ｒ１〜Ｒｎ、Ｒｍに対して操作入力が行われ、その入力を制御部６１に出力するものである。図２においては、音響停止スイッチＳＷ１および復旧スイッチＳＷ２のみが示されている。
【００３０】
表示部６４は、図３に示すような地区窓表示とともに、状態を示す各種表示灯および火災発報の回線等を示す発報表示（７セグ）が接続され、制御部６１からの制御に基づき点灯制御するものである。
【００３１】
音響部６５は、詳細に説明しないがブザー等の装置であり、火災受信機Ｒ１〜Ｒｎ、Ｒｍ自体から警報音を鳴動させるものである。
【００３２】
制御出力部６６は、地区音響の制御線５１〜５ｎ等が接続される端子に制御出力を行うものであり、地区音響装置１３の警報音鳴動を制御するものである。なお、地区音響装置１３以外の防排煙機器や避難誘導のための機器のような被制御機器を接続しても、地区音響と同様に連動制御できる。
【００３３】
出力移報回路６７は、制御部６１の制御出力に基づき、火災代表の出力線２１〜２ｎが接続される端子に移報出力動作を行うものである。そのため、感知器回線４１〜４ｎと同様の接続状態とするため、感知器回線４１〜４ｎの終端部分に設けられる図示しない終端抵抗と同様の抵抗８２を介して監視電流の導通が可能とされ、スイッチング素子８１の作動時に、火災感知器１１と同様の付加を与える付加抵抗８３が設けられ、火災信号と同様に移報出力線２１〜２ｎを略短絡の低インピーダンス状態とするようになっている。
【００３４】
リセット出力回路６８は、制御部６１の制御出力に基づき、音響制御線３１〜３ｎが接続される端子間を制御するスイッチング素子としてのフォトカプラ８５をオンオフ制御するものである。このリセット出力回路６８は、サブ受信機Ｒ１〜Ｒｎとして用いられる場合に必要な部位であり、メイン受信機Ｒｍとしては必要でない。
【００３５】
リセット入力回路６９は、リセット出力回路６８によるフォトカプラ８５のオンを検出するものであり、その検出を制御部６１に入力する。このリセット入力回路６９は、上記リセット出力回路とは逆に、メイン受信機Ｒｍとして用いられる場合のみ必要な部位であり、サブ受信機Ｒ１〜Ｒｎとして用いる場合には不要である。
【００３６】
つぎに、上記のように構成される実施の形態の動作について、図４に基づいて説明する。以下に示す動作説明は、メイン受信機Ｒｍとサブ受信機Ｒ１〜Ｒｎとを区別しながら説明するが、共通の構成を備える火災受信機を用意できることから、設置状況によりメインの動作またはサブの動作を行えるように、双方の動作を備えているものでもよい。
【００３７】
火災の発生として、例えば、１階から火災が発生したとすると、そこに設けられている火災感知器１１が火災を検出して火災信号を送出し、その火災信号が感知器回線４１を介してサブ受信機Ｒ１の火災受信回路６２に入力され、火災信号を受信した火災受信回路６２は、地区毎に複数配置される感知器回線４１を区別して検出し、それに対応する出力を制御部６１に行う。
【００３８】
このように、信号入力を検出した制御部６１は（Ｓ１０）、その感知器回線４１〜４ｎに後述する停止フラグＦ１がオフであることを確認して（Ｓ１１）、必要な火災表示を行い（Ｓ１２）、音響鳴動を行う（Ｓ１３）。そして、火災代表の移報出力を行う必要があるので（Ｓ１４）、移報フラグＦ２がオフであることを確認して（Ｓ１５）、移報出力回路６７を起動して（Ｓ１６）、移報フラグＦ２をオンして（Ｓ１７）、タイマＴ２を起動する（Ｓ１８）。ここで、移報出力回路６７は接点８１を閉成し、出力線２１に移報出力を行わせる。この代表移報は、複数の感知器回線４１いずれからでも火災信号を検出した際にメイン受信機Ｒｍにサブ受信機Ｒ１として火災検出を示す出力を行うものである。ここで、移報フラグＦ２は代表移報の出力中を示すものであり、サブ受信機Ｒ１が代表の移報中に他の感知器回線４１から火災信号を検出して第２報を検出した場合、２報目の移報を保留させる。また、タイマＴ２は、出力線２１への移報をワンショット出力とするための所定時間を計るためのマイコン等に内蔵された図示しないタイマであって、所定時間は例えば約３０秒に設定されている。
【００３９】
この移報出力を受けたメイン受信機Ｒｍは、サブ受信機Ｒ１が火災感知器１１から火災信号を受けるのと同様に、火災受信回路６２に入力され、移報出力を受信した火災受信回路６２は、感知器回線４１を区別して検出しそれに対応する出力を制御部６１に行う。移報出力を検出した制御部６１は（Ｓ１０）、後述する停止フラグＦ１がオフであることを確認して（Ｓ１１）、必要な火災表示を行い（Ｓ１２）、音響鳴動を行う（Ｓ１３）。そして、メイン受信機Ｒｍから火災代表の移報出力を行う必要はない（Ｓ１４）。
【００４０】
その後、移報出力から所定時間、ここでは約３０秒が経過すると、サブ受信機Ｒ１のタイマＴ２がタイムアップする。タイマＴ２のタイムアップ入力があると（Ｓ２０、Ｓ２１）、移報出力回路６７の出力を停止して（Ｓ２２）、移報フラグＦ２をオフする（Ｓ２３）。このとき、移報出力回路６７は接点８１を開放し、出力線２１の移報出力を停止させる。
【００４１】
この移報出力の停止を受けたメイン受信機Ｒｍは、受信した場合と同様に、火災受信回路６２により入力があった端子から入力が停止したことを検出しそれに対応する出力を制御部６１に行う。信号停止を検出した制御部６１は（Ｓ３０）は、停止フラグＦ１をオンして（Ｓ３１）、タイマＴ１を起動する（Ｓ３２）。ここで、停止フラグＦ１は代表移報の受信停止中を示すものであり、サブ受信機Ｒ１から代表の移報が停止してすぐの入力を遮断する。これには代表移報としてワンショット出力中にノイズによる瞬間的な出力停止が発生する場合があり、ノイズが発生するときに、第１報の代表出力を瞬断以降２報目として検出しないようにする。また、タイマＴ１は、受信停止とする所定時間を計るためのタイマＴ２と同様の図示しないタイマであって、所定時間は例えば約１０秒に設定されている。詳細に示さないが、この停止フラグＦ１およびタイマＴ１は火災受信回路６２に入力される各感知器回線および移報出力線毎に設けられる。
【００４２】
その後、受信停止から所定時間、ここでは約１０秒が経過すると、メイン受信機ＲｍのタイマＴ１がタイムアップする。タイマＴ１のタイムアップ入力があると（Ｓ２０、Ｓ２６）、停止フラグＦ１をオフする（Ｓ２７）。
【００４３】
ここまでの動作において、火災信号を受信したサブ受信機Ｒ１とその代表出力を受信したメイン受信機Ｒｍは、火災警報の音響鳴動を行っている。この音響鳴動は、各受信機Ｒ１、Ｒｍにおいて、図示しないブザーや音声による鳴動を行うための図示しない音声合成回路およびスピーカ等から構成される音響部６５により行われるとともに、各部に配置される地区音響装置１３に対して制御線５１、５ｍを介して制御出力部６６からの出力によって地区音響の鳴動が行われる。なお、必要な地区音響は、火災監視の地区毎やフロア毎でも構わず、また、出火階および直上階の区分鳴動や全館一斉鳴動であっても構わない。
【００４４】
ここで、メイン受信機Ｒｍに建物の管理人（同様の管理の責任がある者）が操作部６３の音響停止スイッチＳＷ１を操作して、音響停止操作を行った場合、メイン受信機Ｒｍの制御部６１は、操作入力が音響停止であることを判断し（Ｓ４０、Ｓ４１）、音響部６５を停止するとともに、制御出力部６６からの出力も停止する音響停止動作を行う（Ｓ４２）。同様に、サブ受信機Ｒ１の音響停止スイッチＳＷ１を操作した場合には、サブ受信機Ｒ１の音響部６５および制御出力部６６の出力が停止される。
【００４５】
火災が継続している場合には、始めに作動した火災感知器１１とは異なる火災感知器１１が作動して、２報目の火災信号が発生する。この第２報の火災信号が第１報とは異なる感知器回線４１を介してサブ受信機Ｒ１の火災受信回路６２に入力されると、その入力を検出した制御部６１は（Ｓ１０）、改めて必要な火災表示および音響鳴動を行う（Ｓ１２、Ｓ１３）。そして、第２報の移報出力を、移報フラグＦ２がオフであることを確認して（Ｓ１５）、移報出力回路６７を起動して（Ｓ１６）、移報フラグＦ２をオンして（Ｓ１７）、タイマＴ２を起動する（Ｓ１８）。このとき第２報の移報出力に当たり、移報フラグＦ２がオンしている場合には、詳細に示さないが、第２報の出力を保留して、移報フラグＦ２のオフ後、入力停止の所定時間、ここでは約１０秒以上の待機の後、移報出力を行う。
【００４６】
この第２報の移報出力を受けたメイン受信機Ｒｍは、同様に火災受信回路６２に入力され、移報出力を検出した制御部６１は（Ｓ１０）、後述する停止フラグＦ１がオフであることを確認して（Ｓ１１）、改めて必要な火災表示および音響鳴動を行う（Ｓ１２、Ｓ１３）。
【００４７】
このような動作によって、第１報による音響が停止された後に、第２報の入力があるときに、サブ受信機Ｒ１のみでなくメイン受信機Ｒｍにおいても、第１報と第２報とを区別することができ、発報数として個別に計数するとともに、第２報の入力によって改めて火災警報の音響鳴動、いわゆる後続再鳴動を行うことができる。
【００４８】
ここで、火災受信回路６２への信号入力と音響鳴動および音響停止のタイミングについて図５を用いて説明する。図において、図５（ａ）は第２報によって再鳴動する場合で、図５（ｂ）は第２報と捉えない場合であって、双方とも、最上段は火災受信回路６２への火災信号のオンオフ、中段は音響部６５および制御出力部６６の制御による音響鳴動の有無、最下段は操作部６３における音響停止スイッチＳＷ１による停止入力を示している。
【００４９】
図５（ａ）において、火災信号としてサブ受信機Ｒ１〜Ｒｎからの火災代表の移報出力の受信によって、音響鳴動が開始される。この移報出力は所定時間のワンショット出力であるので、ここでは約３０秒経過することによって受信が停止する。また、音響鳴動も音響停止スイッチＳＷ１の入力によって停止される。
【００５０】
その後、同じサブ受信機Ｒ１〜Ｒｎからの第２報の移報出力を受信するときに、その受信が第１報の停止から所定時間、ここでは約１０秒以上経過しているので、第２報は改めて火災信号の入力と数えられ、改めて音響鳴動も開始される。そして、音響停止スイッチＳＷ１の操作によって、第１報と同様に音響停止される。また、火災情報として、火災信号が第１報に加えて後続としての第２報があったことを格納する。
【００５１】
これに対して図５（ｂ）において、図５（ａ）と同様に第１報の受信があり音響鳴動が開始される。この第１報の火災信号が何等かの影響で一度停止して約６，７秒で復活するときに、この復活のタイミングが第１報の停止から所定時間、ここでは約１０秒以上経過していないので、ここでは第１報が継続していると判断する。
【００５２】
この図５（ｂ）において、受信停止の所定時間がなければ、ノイズの影響によって一つの火災信号や移報出力が２つ、３つと多数の発報に捉えることがあり、火災受信機に無駄な動きをさせることとなる。
【００５３】
なお、この実施の形態では、火災受信回路６２は一度受けた火災信号を保持する目的で、後続を受付けない従来の方式から、火災信号を受信した後もその入力有無を取り込む方式とすることで、後続を受付け、その結果、発報数の正確な受信、後続再鳴動等を可能とするものである。そして、ノイズ等の影響を排除するため、受信停止の期間を設定して、正確に発報数を数えることができる。
【００５４】
同様の火災信号検出動作を感知器回線において行ってもよい。上記の動作説明ではサブ受信機Ｒ１〜Ｒｎからメイン受信機Ｒｍへの代表移報について、サブ受信機Ｒ１〜Ｒｎに感知器回線４１〜４ｎが複数配設されることから複数の火災信号入力があるときに、それらの入力毎に移報出力を行う場合である。各感知器回線４１〜４ｎには複数の火災感知器１１が接続されることから、それらの火災感知器１１の火災信号をワンショット出力として、一旦火災信号を出力した火災感知器１１は動作停止することで、異なる火災感知器１１からの感知器回線４１〜４ｎを介した火災信号の受信を行うことができ、一つの感知器回線４１〜４ｎに対して複数個の火災信号を受信できる火災受信機となる。このとき、火災感知器１１からの火災信号としてのワンショット出力は、サブ受信機Ｒ１〜Ｒｎからの移報出力の場合よりも長く出力することが好ましく、約１分等とし、火災信号の送出先に確実に受信させることを考慮しなければならない。
【００５５】
なお、火災感知器に火災信号をワンショット出力させるときに、火災信号の送出先として、火災受信機に確実に受信させる方式として、火災感知器が火災受信機からの火災確定出力を受信するときに、スイッチング動作を停止する方式であってもよい。すなわち、火災受信機が火災信号を受信した際にその回線に火災確定出力を行うもので、火災確定出力としては、伝送信号の出力、特定周波数の重畳、所定時間の電源停止等を用いることができ、それぞれ火災感知器側に伝送信号の場合はその受信回路、特定周波数の場合は周波数検出回路、電源停止の場合はマイコンによって停止期間を測定し復旧信号と区別すること等を備える必要がある。これらの火災確定出力を用いることによって、火災感知器は送出先の火災信号の受信を確認して火災信号出力を停止することとなる。
【００５６】
このように火災が発生した後にシステムを復旧するためには、火災信号を受信したサブ受信機Ｒ１およびメイン受信機Ｒｍをそれぞれ復旧操作しなければならない。ここで、上記の管理人がサブ受信機Ｒ１の操作部６３の復旧スイッチＳＷ２を操作して、復旧操作を行った場合、操作入力が復旧であることを判断し（Ｓ４０、Ｓ４３）、音響停止されていることを確認して（Ｓ４４）停止されていれば、リセット動作として火災情報の保持解除、表示部６４の火災表示停止などを行い（Ｓ４５）、リセット出力回路６８からの音響停止線３１への停止出力を行う（Ｓ４６）。このリセット出力回路６８からの停止出力も詳細に説明しないがワンショット出力であり、メイン受信機Ｒｍのリセット入力回路６９に検出させれば足りる。
【００５７】
このリセット出力回路６８による音響停止は、サブ受信機Ｒ１〜Ｒｎからの移報によるメイン受信機Ｒｍの音響鳴動に対して、移報元のサブ受信機Ｒ１〜Ｒｎの火災情報が復旧した際に、それにも係わらずメイン受信機Ｒｍが音響鳴動していると無駄になるので、サブ受信機Ｒ１〜Ｒｎの復旧操作と同時にメイン受信機Ｒｍの音響を停止できるようになっている。なお、メイン受信機Ｒｍの音響停止スイッチＳＷ１が事前に操作されて音響が停止されていたとしても、問題がないことはいうまでもない。
【００５８】
また、操作部６３に対して、上記のような音響停止スイッチＳＷ１および復旧スイッチＳＷ２以外の入力があるときには（Ｓ４０、Ｓ４７）、その入力に応じた処理を行う（Ｓ４８）。
【００５９】
上記の動作によって発生するメイン受信機Ｒｍへの火災信号および移報出力は個別に火災情報の発報数として制御部６１の図示しないメモリに格納される。このような火災情報は火災受信機Ｒｍの盤面の表示部６４に表示されるが、外観的に一例として、図３に示すように、火災地区毎の地区窓表示部９１と、各種表示灯の組み合わせである状態表示部９２と、発報表示部９３とにより構成され、操作部６３としての各種スイッチも同様に示されている。
【００６０】
地区窓表示部９１は２列に合計１６窓形成されていて、全て火災地区に割り当てればよいが、メイン受信機Ｒｍにおいては、例えば左側１番から８番までには、感知器回線４ｍについて地区名称を明示して複数割り当てられるとともに、右側９番から１６番までには、各サブ受信機Ｒ１〜Ｒｎからの出力線２１〜２ｎに割り当てることができる。そして、それぞれの回線４ｍまたは出力線２１〜２ｎについて火災、遮断、異常の有無を表示灯の点灯によって表示できるようになっている。
【００６１】
状態表示部９２は、代表表示であり、火災表示灯９４、電源灯９５、異常灯９６等が点灯（または点滅）によって表示される。
【００６２】
発報表示部９３は、いわゆる７セグによる番号表示を２ヶ所に行え、それぞれ表示される番号は、地区窓表示部９１の窓番号に対応する数字として表示される。番号表示の左側に最初の発報である第１報を、右側にはそれ以降の発報についての第２報以降を表示するようになっており、第２報以降については、操作部６３である後続スイッチ９９の操作によって第３報、第４報…と火災情報が存在する限り、後続が表示されて行く。この後続表示は、第２報以降だけであり、第１報は左側に固定である。
【００６３】
例えば、サブ受信機Ｒ１から代表移報があると、１階で火災発生として、地区窓表示部９１において９番の窓に対応する火災の表示灯が点灯されると同時に、発報表示部９３の第１報（ＦＩＲＳＴ）である左側に「０９」が表示される。つぎに、後続としてメイン受信機Ｒｍの感知器回線４ｍから火災信号として地区窓１番に対応する入力があると、地区窓表示部９１において１番の窓に対応する火災の表示灯が点灯されると同時に、発報表示部９３のそれ以降（ＬＡＳＴ）である右側に「０１」が表示される。このように、発報表示に用いられる番号は地区窓の番号に対応している。
【００６４】
そして、３報目として、サブ受信機Ｒ１から後続の代表移報出力があった場合、地区窓表示部９１には変化がないが、後続スイッチ９９を操作すると発報表示部９３の右側が「０１」から「０９」に変化する。そして、例えば第４報が「１０」の場合、再度の後続スイッチ９９の操作により「０９」が「１０」となり、さらに後続スイッチ９９の操作があり、第５報がなければ、第２報に戻ることとなり、「１０」から「０１」となる。
【００６５】
このように、メイン受信機Ｒｍはサブ受信機Ｒ１〜Ｒｎの代表移報として、後続の移報も受信できるので、発報数を地区毎に計数することが可能である。なお、メイン受信機Ｒｍ自体では、サブ受信機Ｒ１〜Ｒｎの発報回線は不明であるが、サブ受信機Ｒ１〜Ｒｎから発報数の情報は取得できるものであり２報目や３報目等複数入力されていることがわかれば、その情報をサブ受信機Ｒ１〜Ｒｎに行って確認すればよい。
【００６６】
同様の火災信号検出動作を感知器回線において行ってもよく、上記の動作説明ではサブ受信機Ｒ１〜Ｒｎからメイン受信機Ｒｍへの代表移報について、サブ受信機Ｒ１〜Ｒｎに感知器回線４１〜４ｎが複数配設されることから複数の火災信号入力があるときに、それらの入力毎に移報出力を行う場合であり、各感知器回線４１〜４ｎには複数の火災感知器１１が接続されることから、それらの火災感知器１１の火災信号をワンショット出力として、一旦火災信号を出力した火災感知器１１は動作停止することで、異なる火災感知器１１からの感知器回線４１〜４ｎを介した火災信号の受信を行うことができ、一つの感知器回線４１〜４ｎに対して複数個の火災信号を受信できる火災受信機となる。
【００６７】
以上のように、本発明は、複数の火災受信機が接続され、１台をメインパネルとしてその他をサブパネルとして利用する火災報知システムに用いられるメインパネルとなる火災受信機において、サブパネルとなる火災受信機から代表移報出力を受信する移報受信部と、該移報受信部へのワンショット入力の個々を個別に代表移報出力の受信とする制御部と、を備えるものであって、代表移報出力の発生毎に火災発報を正確に捉えることができる。
【００６８】
そして、制御部は、個々の代表移報出力の受信に基づき音響鳴動を行うものであり、後続の火災発報により火災警報の鳴動が可能となる。また、制御部は、代表移報出力の受信毎に、火災発報として表示し、その個数を正確に表示することができる。
【００６９】
さらに、制御部は、移報受信部へのワンショット入力が複数あるときに、各ワンショット入力間が所定の時間間隔以下のときに双方を一つの代表移報出力の受信と判断するものであり、ノイズ等による誤った代表移報出力の受信認識を防止することができる。
【００７０】
また本発明は、火災信号を受信する火災受信機において、火災信号を受信する受信部と、該受信部へのワンショット入力の個々を個別に火災信号の受信とする制御部と、を備えるものであり、個々の火災信号の発生毎に火災発報を正確に捉えることができる。
【００７１】
そして、制御部は、個々の火災信号に基づき音響鳴動を行うものであり、後続の火災発報により火災警報の鳴動が可能となる。また、制御部は、火災信号毎に火災発報として表示し、その個数を正確に表示することができる。
【００７２】
さらに、制御部は、受信部への入力から停止までが複数あるときに、各入力間が所定の時間間隔以下のときに双方を一つの火災信号と判断するものであり、ノイズ等による誤った火災信号の受信認識を防止することができる。
【００７３】
またさらに本発明は、複数の火災受信機が接続され、１台をメインパネルとしてその他をサブパネルとして利用する火災報知システムに用いられる火災受信機において、複数の火災感知器からの火災信号、あるいは、サブパネルとしての火災受信機からの代表移報出力、いずれかを受信する火災受信部と、該火災受信部へサブパネルとして前記火災信号を受信した際に、代表移報出力をワンショットで行う移報出力部と、該火災受信部へのワンショット入力の個々を個別に代表移報出力の受信とする制御部と、を備えるものであって、代表移報出力の発生毎に火災発報を正確に捉えることができる。
【００７４】
そして、制御部は、個々の火災信号あるいは代表移報出力の受信に基づき音響鳴動を行うものであり、後続の火災発報により火災警報の鳴動が可能となる。また、制御部は、火災信号あるは代表移報出力の受信毎に、火災発報として表示し、その個数を正確に表示することができる。
【００７５】
さらに、制御部は、火災受信部へのワンショット入力が複数あるときに、各ワンショット入力間が所定の時間間隔以下のときに双方を一つの火災信号あるは代表移報出力の受信と判断するものであり、ノイズ等による誤った代表移報出力の受信認識を防止することができる。
【図面の簡単な説明】
【図１】本発明を利用した火災報知システム全体のシステム構成図。
【図２】図１に用いられている火災受信機の概略的なブロック構成図。
【図３】図２の火災受信機の表示部を示す外観図。
【図４】図２の火災受信機の動作を示すフロー図。
【図５】代表移報および音響鳴動のタイミングを示す説明図。
【符号の説明】
１１　　火災感知器
２１〜２ｎ　　出力線
４１〜４ｎ、４ｍ　　感知器回線
６１　　制御部
６２　　火災受信回路
６７　　移報出力回路
Ｒ１〜Ｒｎ　　サブ受信機
Ｒｍ　　メイン受信機
【図１】
2004145464.tif 000003
【図２】
2004145464.tif 000004
【図３】
2004145464.tif 000005
【図４】
2004145464.tif 000006
【図５】
2004145464.tif 000007